(57)【要約】      （修正有）【課題】隠れ端末問題を解消しつつ、ブロードキャストを効率的に行うことができる無線通信端末を提供する。【解決手段】無線通信端末２０は、データ送信に先立ってデータ送信時以上の電力で予告信号を送信し、他の端末から予告信号が送信された場合にはデータ送信を所定期間待機する。予告信号は、無線通信端末２０のアドレスを宛先とするＲＴＳフレームであることが好ましい。【選択図】図２
2011259027.tif 000002
【特許請求の範囲】
【請求項１】
無線通信によりデータを送受信する無線通信端末であって、
他の無線通信端末と無線通信を行う無線通信手段と、
データの送信に先立って、データの送信を予告する予告信号を、データ送信時の送信電力以上の電力で前記無線通信手段に送信させる予告信号制御手段と、
前記無線通信手段によって前記予告信号が送信された後に、データの送信を前記無線通信手段に指示するデータ送信制御手段と
を備え、
前記予告信号制御手段は、
前記無線通信手段を介して他の無線通信端末から前記予告信号を受信した場合に、当該予告信号を受信してから予め定められた期間が経過するまでの間は、前記無線通信手段に送信させないことを特徴とする無線通信端末。
【請求項２】
請求項１に記載の無線通信端末であって、
前記予告信号は、
予め定められたアドレスを宛先とするＲＴＳ（request to send）フレームであることを特徴とする無線通信端末。
【請求項３】
請求項２に記載の無線通信端末であって、
前記予め定められたアドレスとは、
前記予告信号の送信元の無線通信端末のアドレスであることを特徴とする無線通信端末。
【請求項４】
無線通信によりデータを送受信する無線通信端末における送信方法であって、
前記無線通信端末は、
他の無線通信端末と無線通信を行う無線通信手段を備え、
データの送信に先立って、データの送信を予告する予告信号を、データ送信時の送信電力以上の電力で前記無線通信手段に送信させる予告信号制御ステップと、
前記無線通信手段によって前記予告信号が送信された後に、データの送信を前記無線通信手段に指示するデータ送信制御ステップと
を実行し、
前記予告信号制御ステップにおいて、
前記無線通信手段を介して他の無線通信端末から前記予告信号を受信した場合に、当該予告信号を受信してから予め定められた期間が経過するまでの間は、前記無線通信手段に送信させないことを特徴とする送信制御方法。
【請求項５】
コンピュータを、無線通信によりデータを送受信する無線通信端末として機能させるプログラムであって、
前記コンピュータに、
他の無線通信端末と無線通信を行う無線通信機能、
データの送信に先立って、データの送信を予告する予告信号を、データ送信時の送信電力以上の電力で前記無線通信機能に送信させる予告信号制御機能、および
前記無線通信機能によって前記予告信号が送信された後に、データの送信を前記無線通信機能に指示するデータ送信制御機能
を実現させ、
前記予告信号制御機能は、
前記無線通信機能を介して他の無線通信端末から前記予告信号を受信した場合に、当該予告信号を受信してから予め定められた期間が経過するまでの間は、前記無線通信手段に送信させないことを特徴とするプログラム。
【発明の詳細な説明】
【技術分野】
【０００１】
本発明は、無線通信によりデータを送信する無線通信端末に関する。
【背景技術】
【０００２】
下記の特許文献１には、ユニキャスト通信において、ＲＴＳ／ＣＴＳ方式を用いることにより、隠れ端末問題を解消する技術が開示されている。ＲＴＳ／ＣＴＳ方式では、通信相手のアドレスを宛先アドレスとするＲＴＳ（request to send）フレームを送信し、それを受信した通信相手は、ＲＴＳフレームの送信元の端末のアドレスを宛先とするＣＴＳ（clear to send）フレームを返し、その後、ＲＴＳフレームの送信元の端末が、通信相手にデータを送信する。
【０００３】
一方、自分宛でないＲＴＳフレームやＣＴＳフレームを受信した他の端末は、ＲＴＳフレームの送信元の端末が、データの送信を終了するまでの間、データの送信を待機する。これにより、目的のデータを他のデータと衝突させることなく、通信相手に届けることができる。
【先行技術文献】
【特許文献】
【０００４】
【特許文献１】特開２００７−２３５８２８号公報
【発明の概要】
【発明が解決しようとする課題】
【０００５】
ところで、近年、車両間で無線による通信（車々間通信）を行うことにより、事故や渋滞等の情報を、近くの車両を介して離れた位置にいる車両へ順次伝達し、危険の回避や渋滞の緩和に役立てる技術の開発が進められている。このような技術分野では、事故や渋滞等の情報を、周辺の車両にブロードキャストすることで、複数の車両において情報を共有する。
【０００６】
しかし、このような車々間通信は、ユニキャスト通信ではないため、上記特許文献１の技術を適用することができない。即ち、ブロードキャストアドレスを宛先とするＲＴＳフレームを送信した場合、ＲＴＳフレームを受信した車両は、一斉にＣＴＳフレームを返すための送信動作に入り、乱数に応じた期間だけ待機して無線チャネル上にＣＴＳフレームを送信する。
【０００７】
このとき、同一の乱数値を選択した車両によって送信されたＣＴＳフレームは、無線チャネル上で衝突してしまい、ＲＴＳフレームの送信元の車両において、情報の読み取りが可能な状態で受信されない。所定期間経過してもデータの送信が開始されない場合に、ＣＴＳフレームの送信元の車両は、ＣＴＳフレームが正しく受信されなかったものと見なしてＣＴＳフレームを再送することも考えられる。しかし、それでも、ＲＴＳフレームの送信元は、いつまで待てば全てのＣＴＳフレームの受信が完了するのか判断できないため、いつまでたってもデータパケットの送信を開始できない。
【０００８】
また、ＲＴＳフレームの宛先をブロードキャストアドレスのように不特定多数の宛先にすると、ＲＴＳフレームの送信元の無線通信端末は、いくつの無線通信端末からＣＴＳフレームを受信した後にデータパケットの送信を開始すればよいかを判断できない。そのため、前述と同様にいつまでたってもデータパケットの送信を開始できない。
【０００９】
車々間通信に関する規格であるIEEE802.11Pでは、乱数の個数が４となっており、車両の台数が多くなると同一の乱数が選択される可能性が高くなる。また、IEEE802.11Pでは、数百メートル程度の通信距離が想定されており、事故や渋滞等の現場では、半径数百メートル以内に百台以上の車両が存在する場合が少なくない。そのため、いずれかの乱数が１台の車両によってのみ選択される可能性は極めて低く、ＣＴＳフレームの衝突と再送が繰り返され、いつまでたっても全てのＣＴＳフレームの受信が完了しないという事態が発生する。
【００１０】
本発明は上記事情を鑑みてなされたものであり、本発明の目的は、隠れ端末問題を解消しつつ、ブロードキャストを効率的に行うことにある。
【課題を解決するための手段】
【００１１】
例えば、本発明は、無線通信によりデータを送受信する無線通信端末であって、
他の無線通信端末と無線通信を行う無線通信手段と、
データの送信に先立って、データの送信を予告する予告信号を、データ送信時の送信電力以上の電力で前記無線通信手段に送信させる予告信号制御手段と、
前記無線通信手段によって前記予告信号が送信された後に、データの送信を前記無線通信手段に指示するデータ送信制御手段と
を備え、
前記予告信号制御手段は、
前記無線通信手段を介して他の無線通信端末から前記予告信号を受信した場合に、当該予告信号を受信してから予め定められた期間が経過するまでの間は、データの送信が必要になった場合であっても、前記予告信号を前記無線通信手段に送信させないことを特徴とする無線通信端末を提供する。
【発明の効果】
【００１２】
本発明の無線通信端末によれば、隠れ端末問題を解消しつつ、ブロードキャストを効率的に行うことができる。
【図面の簡単な説明】
【００１３】
【図１】本発明の一実施形態に係る無線通信システム１０のシステム構成図である。
【図２】無線通信端末２０の機能構成の一例を示すブロック図である。
【図３】無線通信端末２０の動作の一例を示すフローチャートである。
【図４】無線通信システム１０全体の動作を説明するためのシーケンス図である。
【図５】無線通信端末２０の機能を実現するコンピュータ４０の構成の一例を示すハードウェア構成図である。
【発明を実施するための形態】
【００１４】
以下、本発明の実施形態について図面を参照しながら説明する。
【００１５】
図１は、本発明の一実施形態に係る無線通信システム１０のシステム構成図である。無線通信システム１０は、複数の車両１１のそれぞれに搭載された無線通信端末２０を備える。
【００１６】
図１において、符号１２は、車両１１−１に搭載されている無線通信端末２０−１から送信された事故等のデータが、復元可能な程度の電波強度で届く範囲の境界を示している。また、符号１３は、無線通信端末２０−１から送信された予告信号が、復元可能な程度の電波強度で届く範囲の境界を示している。
【００１７】
図１に示す例では、無線通信端末２０−１から送信されたデータが復元可能な程度の電波強度で届く範囲内に車両１１−３および車両１１−４が存在し、当該データが復元可能な程度の電波強度で届く範囲の外側であって、無線通信端末２０−１から送信された予告信号が復元可能な程度の電波強度で届く範囲内に車両１１−２および車両１１−５が存在する。
【００１８】
本実施形態では、各無線通信端末２０が、データの送信を予告する予告信号を、当該データの送信時以上の電力で送信した後に当該データを送信する。無線通信端末２０−２から２０−５は、予告信号を受信してから所定期間、データの送信を待機する。これにより、無線通信端末２０−１からブロードキャストにより送信されたデータは、無線通信端末２０−２または無線通信端末２０−５から送信されたデータと衝突することなく、無線通信端末２０−３および無線通信端末２０−４によって確実に受信される。
【００１９】
図２は、無線通信端末２０の機能構成の一例を示すブロック図である。無線通信端末２０は、無線通信部２１、予告信号制御部２２、データ送信制御部２３、およびアプリケーション処理部２４を有する。
【００２０】
まず、他の無線通信端末２０から予告信号を受信していない場合の無線通信端末２０の動作について説明する。
【００２１】
まず、アプリケーション処理部２４は、渋滞情報、路面情報、または自車両１１の位置情報等の車両の走行状況に関する情報や、緊急事態の発生を示す緊急情報、テキストや音声等のアプリケーションデータ等を含むデータパケットを生成し、生成したデータパケットの送信要求と共に、当該データパケットおよび当該データパケットの送信期間を示す情報をデータ送信制御部２３へ送る。
【００２２】
データ送信制御部２３は、アプリケーション処理部２４から送信要求と共にデータパケットおよび送信期間を示す情報を受け取った場合に、送信期間を示す情報と共に予告信号の送信指示を予告信号制御部２２へ送る。
【００２３】
予告信号制御部２２は、送信期間を示す情報と共に予告信号の送信指示をデータ送信制御部２３から受け取った場合に、当該送信期間を送信禁止期間として含む予告信号を作成する。そして、予告信号制御部２２は、作成した予告信号を無線通信部２１に送信させる。
【００２４】
無線通信部２１は、予告信号制御部２２からの指示に応じて、ＣＳＭＡ／ＣＡ（Carrier Sense Multiple Access / Collision Avoidance）の制御に従って例えばＩＦＳ（Inter-Frame Space）の期間と、ＣＷ(Contention Window)の期間だけ送信を待機する処理を実行する。そして、無線通信部２１は、予告信号制御部２２から受け取った予告信号に対して、符号化や誤り訂正等を施し、符号化や誤り訂正等が施された予告信号に応じて所定の変調を加えた電波を、データ送信制御部２３から受け取ったデータを送信する際の送信電力以上の電力で、アンテナ２５を介して送信する。予告信号の送信が完了した場合、無線通信部２１は、予告信号の送信完了をデータ送信制御部２３に通知する。
【００２５】
なお、予告信号制御部２２から受け取った予告信号を送信する場合、無線通信部２１は、データ送信制御部２３から受け取ったデータを送信する際の送信電力以上であり、かつ、当該送信電力の４倍以下の電力で、予告信号を送信することが好ましい。この場合、予告信号が復元可能な程度の電波強度で届く距離は、通常のデータ送信時の電波が復元可能な程度の強度で届く距離以上であり、かつ、当該距離の２倍以下となる。
【００２６】
また、当該予告信号は、当該予告信号の電波が復元可能な強度以上で届く範囲内（図１における境界１３の内側）に存在しない他の無線通信端末２０のアドレスを宛先アドレスとするＲＴＳフレームであってもよい。また、当該宛先アドレスは、予告信号の発信元の無線通信端末２０（図１の例では無線通信端末２０−１）のアドレスであることが好ましい。これは、本方式では必要としない無駄なＣＴＳフレームの送信を無くすためである。
【００２７】
そして、予告信号の送信完了を無線通信部２１から通知された場合、データ送信制御部２３は、アプリケーション処理部２４から受け取ったデータパケットを無線通信部２１に送信させる。無線通信部２１は、データ送信制御部２３からの指示に応じて、ＣＳＭＡ／ＣＡの制御に従って例えばＳＩＦＳ（Short Inter-Frame Space）の期間送信を待機する。
【００２８】
そして、無線通信部２１は、データ送信制御部２３から受け取った予告信号に対して、符号化や誤り訂正等を施し、符号化や誤り訂正等が施された予告信号に応じて所定の変調を加えた電波を、予告信号制御部２２から受け取った予告信号を送信する際の送信電力以下の電力で、アンテナ２５を介して送信する。
【００２９】
次に、他の無線通信端末２０から予告信号を受信した後に無線通信端末２０がデータを送信する場合の動作について説明する。
【００３０】
無線通信部２１は、アンテナ２５を介して受信した電波を復調し、復号化や誤り訂正等を行う。そして、無線通信部２１は、復号化や誤り訂正等が施されたデータパケットをアプリケーション処理部２４に提供する。また、アンテナ２５を介して他の無線通信端末２０から予告信号を含む電波を受信した場合、無線通信部２１は、復号化や誤り訂正等が施された予告信号をデータ送信制御部２３に提供する。
【００３１】
無線通信部２１を介して他の無線通信端末２０から予告信号を受け取った場合、データ送信制御部２３は、当該予告信号に含まれる送信禁止期間を抽出する。そして、データ送信制御部２３は、抽出した送信禁止期間のカウントを開始する。送信禁止期間のカウントが終了するまでの間に、送信要求と共にデータパケットおよび送信期間を示す情報をアプリケーション処理部２４から受け取った場合、データ送信制御部２３は、これらの情報を保持する。
【００３２】
そして、受信した予告信号から抽出した送信禁止期間が終了した場合、データ送信制御部２３は、送信期間を示す情報と共に、予告信号の送信指示を予告信号制御部２２へ送る。
【００３３】
予告信号制御部２２は、送信期間を示す情報と共に予告信号の送信指示をデータ送信制御部２３から受け取った場合に、当該送信期間を送信禁止期間として含む予告信号を作成し、作成した予告信号を無線通信部２１に送信させる。
【００３４】
無線通信部２１は、予告信号制御部２２からの指示に応じて、ＣＳＭＡ／ＣＡの制御に従って例えばＩＦＳの期間とＣＷ期間だけ送信を待機する処理を実行する。そして、無線通信部２１は、予告信号制御部２２から受け取った予告信号に対して、符号化や誤り訂正等を施し、符号化や誤り訂正等が施された予告信号に応じて所定の変調を加えた電波を、データ送信制御部２３から受け取ったデータを送信する際の送信電力以上の電力で、アンテナ２５を介して送信する。予告信号の送信が完了した場合、無線通信部２１は、予告信号の送信完了をデータ送信制御部２３に通知する。
【００３５】
そして、予告信号の送信完了を無線通信部２１から通知された場合、データ送信制御部２３は、アプリケーション処理部２４から受け取ったデータパケットを無線通信部２１に送信させる。無線通信部２１は、データ送信制御部２３からの指示に応じて、ＣＳＭＡ／ＣＡの制御に従って例えばＳＩＦＳの期間送信を待機する処理を実行する。
【００３６】
そして、無線通信部２１は、データ送信制御部２３から受け取った予告信号に対して、符号化や誤り訂正等を施し、符号化や誤り訂正等が施された予告信号に応じて所定の変調を加えた電波を、予告信号制御部２２から受け取った予告信号を送信する際の送信電力以下の電力で、アンテナ２５を介して送信する。
【００３７】
図３は、無線通信端末２０の動作の一例を示すフローチャートである。例えば、電源が投入される等の所定のタイミングで、無線通信端末２０は本フローチャートに示す動作を開始する。
【００３８】
まず、データ送信制御部２３は、送信要求と共にデータパケットおよび送信期間を示す情報をアプリケーション処理部２４から受け取ったか否かを判定する（Ｓ１００）。送信要求、データパケット、および送信期間を示す情報をアプリケーション処理部２４から受け取った場合（Ｓ１００：Ｙｅｓ）、データ送信制御部２３は、送信期間を示す情報と共に予告信号の送信指示を予告信号制御部２２へ送る。
【００３９】
次に、予告信号制御部２２は、データ送信制御部２３から受け取った送信期間を送信禁止期間として含む予告信号を作成し（Ｓ１０１）、作成した予告信号を無線通信部２１へ送る。無線通信部２１は、ＣＳＭＡ／ＣＡの制御に従ってＩＦＳ期間とＣＷ期間待機する予告信号の送信待機処理を実行する（Ｓ１０２）。
【００４０】
次に、無線通信部２１は、予告信号制御部２２から受け取った予告信号に対して符号化や誤り訂正等を施す。そして、無線通信部２１は、符号化や誤り訂正等が施された予告信号に応じて所定の変調を加えた電波を、データ送信制御部２３から受け取ったデータを送信する際の送信電力以上の電力で、アンテナ２５を介して送信し（Ｓ１０３）、予告信号の送信完了をデータ送信制御部２３に通知する。
【００４１】
次に、データ送信制御部２３は、アプリケーション処理部２４から受け取ったデータパケットを無線通信部２１へ送る。無線通信部２１は、ＣＳＭＡ／ＣＡの制御に従ってＳＩＦＳ期間待機するデータパケットの送信待機処理を実行する（Ｓ１０４）。そして、無線通信部２１は、データ送信制御部２３から受け取ったデータパケットに対して符号化や誤り訂正等を施し、符号化や誤り訂正等が施されたデータパケットに応じて所定の変調を加えた電波を、予告信号制御部２２から受け取った予告信号を送信する際の送信電力以下の電力で、アンテナ２５を介して送信し（Ｓ１０５）、データ送信制御部２３は、再びステップＳ１００に示した処理を実行する。
【００４２】
ステップＳ１００において、送信要求等をアプリケーション処理部２４から受け取っていない場合（Ｓ１００：Ｎｏ）、データ送信制御部２３は、無線通信部２１を介して他の無線通信端末２０から予告信号を受信したか否かを判定する（Ｓ１０６）。予告信号を受信していない場合（Ｓ１０６：Ｎｏ）、データ送信制御部２３は、再びステップＳ１００に示した処理を実行する。
【００４３】
予告信号を受信した場合（Ｓ１０６：Ｙｅｓ）、データ送信制御部２３は、受信した予告信号から送信禁止期間を抽出し、抽出した送信禁止期間をカウントするタイマをスタートさせる（Ｓ１０７）。そして、タイマが終了した場合（Ｓ１０８：Ｙｅｓ）、データ送信制御部２３は、再びステップＳ１００に示した処理を実行する。
【００４４】
なお、ステップＳ１０７においてタイマがスタートしてから、ステップＳ１０８においてタイマ終了と判定するまでの間に、アプリケーション処理部２４から送信要求等を受け取った場合、データ送信制御部２３は、受け取ったこれらの情報を保持し、ステップＳ１０８においてタイマ終了と判定した後のステップＳ１００において、アプリケーション処理部２４から送信要求等を受け取ったと判定して、保持している送信要求等を処理する。
【００４５】
図４は、図１に示した無線通信システム１０全体の動作を説明するためのシーケンス図である。図１において、車両１１−２に搭載された無線通信端末２０−２と、車両１１−５に搭載された無線通信端末２０−５とは同様に動作し、車両１１−３に搭載された無線通信端末２０−３と、車両１１−４に搭載された無線通信端末２０−４とは同様に動作する。そのため、図４では、図１に示した車両１１の中で、無線通信端末２０−１、無線通信端末２０−４、および無線通信端末２０−５の動作について示している。
【００４６】
無線通信端末２０−１では、時刻ｔ0において送信すべきデータが発生し、無線通信端末２０−１は、ＣＳＭＡ／ＣＡの制御に従って所定期間待機した後、時刻ｔ2において、データ送信時の電力以上の電力で予告信号の送信を開始する。
【００４７】
無線通信端末２０−１からの予告信号を受信可能な位置にある無線通信端末２０−４および２０−５は、時刻ｔ2からｔ3の期間で無線通信端末２０−１からの予告信号を受信する。そして、無線通信端末２０−４および２０−５は、予告信号の受信が完了した時刻ｔ3から、当該予告信号に含まれている送信禁止期間（図４のΔＴ）が経過する時刻ｔ6までの間、データの送信を待機する。
【００４８】
無線通信端末２０−１は、予告信号の送信が完了した時刻ｔ3から、ＣＳＭＡ／ＣＡの制御に従って所定期間待機した後、時刻ｔ4において、予告信号送信時の送信電力以下の電力でデータの送信を開始する。無線通信端末２０−４は、時刻ｔ4からｔ5の期間で無線通信端末２０−１からのデータを受信する。
【００４９】
図５は、無線通信端末２０の機能を実現するコンピュータ４０の一例を示すハードウェア構成図である。コンピュータ４０は、ＣＰＵ（Central Processing Unit）４１、ＲＡＭ（Random Access Memory）４２、ＲＯＭ（Read Only Memory）４３、無線機４４、および入出力インターフェイス（Ｉ／Ｆ）４５を備える。
【００５０】
ＣＰＵ４１は、ＲＯＭ４３に格納されたプログラムに基づいて動作し、各部の制御を行う。ＲＯＭ４３は、コンピュータ４０の起動時にＣＰＵ４１によって実行されるブートプログラムや、コンピュータ４０のハードウェアに依存するプログラム、ＣＰＵ４１によって実行されるその他のプログラム等を格納する。
【００５１】
無線機４４は、アンテナ２５を介して受信した電波を復調し、復号化や誤り訂正等を行い、復号化や誤り訂正等が施されたデータをＣＰＵ４１に提供する。また、無線機４４は、ＣＰＵ４１が生成したデータに、符号化や誤り訂正等を施し、符号化や誤り訂正等が施されたデータに応じて所定の変調を加えた電波をアンテナ２５を介して送信する。
【００５２】
入出力インターフェイス４５は、キーパッド等の入力装置やＬＣＤ等の出力装置を制御し、入力装置から取得したデータをＣＰＵ４１へ送ると共に、ＣＰＵ４１が生成したデータを出力装置へ送る。また、入出力インターフェイス４５は、他の装置からプログラムまたはデータを取得し、ＲＡＭ４２を介してＣＰＵ４１に提供する。
【００５３】
ＣＰＵ４１は、入出力インターフェイス４５を介して取得したプログラムをＲＡＭ４２上にロードし、ロードしたプログラムを実行する。コンピュータ４０のＣＰＵ４１は、ＲＡＭ４２上にロードされたプログラムを実行することにより、無線通信部２１、予告信号制御部２２、データ送信制御部２３、およびアプリケーション処理部２４の各機能を実現する。
【００５４】
以上、本発明の実施の形態について説明した。
【００５５】
上記説明から明らかなように、本実施形態の無線通信端末２０によれば、隠れ端末問題を解消しつつ、ブロードキャストを効率的に行うことができる。
【００５６】
なお、本発明は、上記した実施形態に限定されるものではなく、その要旨の範囲内で数々の変形が可能である。
【００５７】
例えば、上記した実施形態では、各無線通信端末２０が複数の他の無線通信端末２０に対してブロードキャストによりデータを送信する場合を例に説明したが、本発明はこれに限られない。例えば、各無線通信端末２０は、他の１台の無線通信端末２０へユニキャストによりデータを送信する際に、データ送信時よりも大きな電力で予告信号を送信し、その後に特定の１台の無線通信端末２０宛のデータパケットを送信するようにしてもよい。
【００５８】
このような場合であっても、上記した実施形態と同様に隠れ端末問題を解消することができると共に、予告信号に対する応答を待たずにデータの送信を開始できるため、各無線通信端末２０は、通常のＲＴＳ／ＣＴＳ方式よりも、より迅速に目的のデータの送信を開始することができる。
【００５９】
さらに、各無線通信端末２０は、特定の複数の無線通信端末２０へマルチキャストによりデータを送信する際に、データ送信時よりも大きな電力で予告信号を送信し、その後に特定の複数の無線通信端末２０宛のデータパケットを送信するようにしてもよい。
【符号の説明】
【００６０】
１０・・・無線通信システム、１１・・・車両、１２・・・境界、１３・・・境界、２０・・・無線通信端末、２１・・・無線通信部、２２・・・予告信号制御部、２３・・・データ送信制御部、２４・・・アプリケーション処理部、２５・・・アンテナ、４０・・・コンピュータ、４１・・・ＣＰＵ、４２・・・ＲＡＭ、４３・・・ＲＯＭ、４４・・・無線機、４５・・・入出力インターフェイス
【図１】
2011259027.tif 000003
【図２】
2011259027.tif 000004
【図３】
2011259027.tif 000005
【図４】
2011259027.tif 000006
【図５】
2011259027.tif 000007